(57)【要約】【課題】背もたれの上下方向の変位により背もたれの高さと奥行きを調節できるようにし、かつ、その背もたれの取付手段を偏心させて、より広い範囲で使用者の身体に合う椅子に調節できるようにする。【解決手段】椅子の両側に設けられた背もたれ支持部２ｃに背もたれ１１を、椅子の上下方向に変位可能に備える。更に、前記背もたれ１１に、前記背もたれ支持部２ｃに対して脱着可能に取付ける取付部１３ａ，１３ｂを設け、該取付部の中心を、背もたれの上下方向における中心から上下方向の一方へ偏心させて設ける。【選択図】図１
2007075533.tif 000002
【特許請求の範囲】
【請求項１】
椅子の背もたれを、背もたれ支持部に取付けるようにし、その背もたれを、その上下を逆して取付けた場合に、背もたれの高さが変化するように形成したことを特徴とする椅子。
【請求項２】
椅子の背もたれに、椅子の両側に設けられた背もたれ支持部に対して脱着可能に取付ける取付部を設け、該取付部の中心を、背もたれの上下方向における中心から上下方向の一方へ偏心させて設けたことを特徴とする椅子。
【請求項３】
前記背もたれの上下の端面のうち、前記取付部の中心を偏心させた側と反対側の端面を、左右方向の中央部が外側へ突出する面に形成したことを特徴とする請求項２記載の椅子。
【請求項４】
椅子の背もたれに、椅子の両側に設けられた背もたれ支持部に脱着可能に取付ける取付手段を設け、該取付手段は背もたれの上下方向に複数配置され、背もたれの上下の一方の端面と該一方の端面側に配置された取付手段との距離を、背もたれの上下の他方の端面と該他方の端面側に配置された取付手段との距離よりも長く設定したことを特徴とする椅子。
【請求項５】
前記背もたれの一方の端面を、背もたれの左右方向の中央部が外側へ突出する面に形成したことを特徴とする請求項４記載の椅子。
【請求項６】
前記背もたれ支持部に、前記背もたれを上下方向に複数段に変位できる取付手段を設けたことを特徴とする請求項１乃至５のいずれかに記載の椅子。
【請求項７】
前記背もたれ支持部を、その上方が椅子の後方へ傾斜するように形成したことを特徴とする請求項１乃至６のいずれかに記載の椅子。
【発明の詳細な説明】
【技術分野】
【０００１】
本発明は椅子に関する。
【背景技術】
【０００２】
従来、椅子における背もたれにおいて、背もたれ支持部に、その上下方向に複数の取付穴を設け、該取付穴を選択して背もたれを取付けることで、背もたれの高さが変化するようにしたものが知られている（特許文献１参照）。
【特許文献１】特開２００２−６５４１３号公報
【発明の開示】
【発明が解決しようとする課題】
【０００３】
前記従来のように、単に、背もたれ支持部に複数の取付穴を設けて背もたれを上下方向に変位するものにおいては、背もたれの上下方向の調節範囲を広げようとすると、背もたれ自体を長く（大きく）するか、背もたれ支持部を長く（高く）する必要がある。そのため、部品が大きくなり、椅子自体が大きくなったり重くなったりして、子供が椅子を取扱うことが困難になる。
【０００４】
そこで本発明は、背もたれや背もたれ支持部を大きくすることなく、背もたれの調節範囲を広くできるようにして前記の問題を解決する椅子を提供することを目的とするものである。
【課題を解決するための手段】
【０００５】
前記の課題を解決するために、請求項１記載の発明は、椅子の背もたれを、背もたれ支持部に取付けるようにし、その背もたれを、その上下を逆して取付けた場合に、背もたれの高さが変化するように形成したものである。
【０００６】
請求項２記載の発明は、椅子の背もたれに、椅子の両側に設けられた背もたれ支持部に対して脱着可能に取付ける取付部を設け、該取付部の中心を、背もたれの上下方向における中心から上下方向の一方へ偏心させて設けたものである。
【０００７】
請求項３記載の発明は、請求項２記載の発明において、前記背もたれの上下の端面のうち、前記取付部の中心を偏心させた側と反対側の端面を、左右方向の中央部が外側へ突出する面に形成したものである。
【０００８】
請求項４記載の発明は、椅子の背もたれに、椅子の両側に設けられた背もたれ支持部に脱着可能に取付ける取付手段を設け、該取付手段は背もたれの上下方向に複数配置され、背もたれの上下の一方の端面と該一方の端面側に配置された取付手段との距離を、背もたれの上下の他方の端面と該他方の端面側に配置された取付手段との距離よりも長く設定したものである。
【０００９】
請求項５記載の発明は、請求項４記載の発明において、前記背もたれの一方の端面を、背もたれの左右方向の中央部が外側へ突出する面に形成したものである。
【００１０】
請求項６記載の発明は、請求項１乃至５のいずれかに記載の発明において、前記背もたれ支持部に、前記背もたれを上下方向に複数段に変位できる取付手段を設けたものである。
【００１１】
請求項７記載の発明は、請求項１乃至６のいずれかに記載の発明において、前記背もたれ支持部を、その上方が椅子の後方へ傾斜するように形成したものである。
【発明の効果】
【００１２】
本発明によれば、背もたれを、その上下の向きを反対にして付替えることにより、取付位置が同じ高さであっても背もたれの受面を上下方向に変位させることができる。したがって、背もたれ及び背もたれ支持部を長く（大きく）することなく、背もたれの調節範囲を広くでき、前記従来の問題を解消できる。
【００１３】
請求項３及び５記載の発明によれば、身体のサポート効果をより効果的にすることができる。
【００１４】
請求項６記載の発明によれば、背もたれ支持部に対する背もたれの段階的な変位と、背もたれの上下方向の向きの変化により、背もたれの高さの調整をより細かく設定することができる。
【００１５】
請求項７記載の発明によれば、背もたれの前記の上下方向の調節により、座面の奥行きも変化させることができる。
【発明を実施するための最良の形態】
【００１６】
本発明を実施するための最良の形態を図に基づいて説明する。
図１乃至図４に示すように、椅子１を構成する支持枠２，２は木製の厚板材で形成され、椅子１の両側に位置して一対設けられている。該各支持枠２，２は、横脚部２ａが床面に対して前後方向に水平に位置し、脚部２ｂが横脚部２ａの後部から上方に向って屈曲するようにして一体に構成されている。該脚部２ｂは上方に行くほど椅子１の前方に傾斜し、（図１においてＡ側を前側とし、Ｂ側を後側とする）脚部２ｂの上方には背もたれ支持部２ｃが一体に構成されている。また、該背もたれ支持部２ｃは上方に行くほど椅子１の後方に傾斜している。すなわち、脚部２ｂと背もたれ支持部２ｃは側面から見て、前方へ屈曲したくの字に形成され椅子１の後方に構成されている。また、前記脚部２ｂには座部支持部２ｄが設けられている。
【００１７】
なお、前記両支持枠２，２は共に同一構造に形成されているため、両支持枠２，２の同一構造部には同一符号を付して説明する。
【００１８】
前記両支持枠２、２の横脚部２ａと、脚部２ｂには、支持棒取付穴が内外に貫通して形成されており、支持棒３，４が、支持枠２、２間に、前記支持棒取付穴を通じてボルト５により固定されている。これにより、両支持枠２，２は相互に所定の間隔を保って平行に保持されている。
【００１９】
また、前記両支持枠２，２の座部支持部２ｄ，２ｄには、前後方向に貫通する座部取付穴６，６が複数、図の実施例では７個、所定の等間隔を有して上下方向に形成されている。
【００２０】
前記両支持枠２，２間で、かつ、前方に位置して座部７が配置されており、その座部７における両側面には、木製の座部支枠８が固設されている。該座部支枠８の後部には、前記脚部２ｂの前面に沿うように屈曲した固定部８ａが形成されている。この固定部８ａには前後方向に貫通した座部側取付穴９が複数、図の実施例では２個、上下方向に所定の間隔（前記座部取付穴６の穴間隔の２倍の間隔）を有して形成されている。
【００２１】
そして、取付手段であるボルト１０を両支持枠２，２に形成した座部取付穴６，６と座部側取付穴９に挿通してナット１０ａを螺合することにより、座部７を両支持枠２，２に着脱可能に取付けるようになっている。
【００２２】
前記のように、支持枠２，２の座部取付穴６，６が、上下方向に複数形成されていることにより、所望の座部取付穴６，６を選択して座部７の高さを調節することができる。更に、支持枠２，２の脚部２ｂが前記のように、前傾姿勢に傾斜していることにより、座部７の取付け位置を高くするほど、座部７を椅子１の前方側へ位置させることができる。
【００２３】
また、前記背もたれ支持部２ｃ，２ｃ間には、板状の背もたれ１１が配置されている。背もたれ支持部２ｃには取付手段である調節穴（取付穴）１２，１２が形成されている。該調節穴１２，１２は、背もたれ支持部２ｃの内外面（椅子の左右方向）に貫通する穴で複数、図の実施例では５個上下方向に所定の等間隔を有して形成されている。
【００２４】
前記背もたれ１１は、図５に示すように、その上下における一方の端面が上下方向の外側へ突出した突出部１１ａで形成され、他方の端面は直線状の水平面からなる直線部１１ｂで形成されている。前記突出部１１ａは、背もたれ１１の左右方向の中央部Ｘ１が最も外側へ突出した円弧面に形成されている。
【００２５】
また、該背もたれ１１の左右の両端面１１ｃ，１１ｄは平行な面で形成されている。両端面１１ｃ，１１ｄには、背もたれ１１の取付部を構成するナット（取付手段）１３ａ，１３ｂが上下方向に複数、図の実施例では２個設けられている。更に、前記ナット１３ａ，１３ｂは、前記調節穴（取付手段）１２，１２の上下方向の穴間隔の２倍の間隔で配置されている。更に、該上下２ヶ所のナット１３ａ，１３ｂは、その２ヶ所のナット１３ａ，１３ｂ間の中心Ｘ３が背もたれ１１の上下方向における中心Ｘ２に対して、一方側に偏心した位置に埋設されている。すなわち、背もたれ１１側のナット１３ａ，１３ｂからなる取付部の中心Ｘ３が、背もたれ１１の上下方向の中心Ｘ２から偏心（オフセット）して設けられている。実施例においては、突出部１１ａ側にある一方のナット１３ａと突出部１１ａの端面（一方の端面）との距離Ｈ１が、他方のナット１３ｂと直線部１１ｂの端面（他方の端面）との距離Ｈ２よりも長くなっている。
【００２６】
したがって、背もたれ１１と背もたれ支持部２ｃ，２ｃとの取付部（取付位置）の高さを変えることなく背もたれ１１を、その上下を逆にして取付た場合に背もたれ１１の高さが変化する。
【００２７】
そして、図２に示すように、背もたれ１１は、取付手段であるボルト１４を、両背もたれ支持部２ｃ，２ｃに形成した上下２個の調節穴１２，１２を通じて対応するナット１３ａ，１３ｂに螺合して締付けることにより、支持枠２，２間に脱着可能に取付けられている。
【００２８】
前記のように、背もたれ支持部２ｃ，２ｃの調節穴（取付手段）１２が、上下方向に複数形成されていることにより、所望の調節穴を選択して背もたれ１１の高さを複数段に調節することができる。また、背もたれ支持部２ｃ，２ｃが前記のように、後傾姿勢に傾斜していることにより、背もたれ１１の取付け位置を高くするほど、後傾姿勢を維持しながら、背もたれ１１を椅子１の後方側へ位置させることができる。
【００２９】
更に、背もたれ１１は、前記のように両端面１１ｃ，１１ｄが平行で、かつ、支持枠２，２に対しても平行であるので、上下の向きを、その背もたれ１１の前後面を反転させることなく反対にして取り付けることが可能となっている。したがって、背もたれ１１は、前記のように両端面１１ｃ，１１ｄのナット１３ａ，１３ｂ間の中心Ｘ３が背もたれ１１の上下方向の中心Ｘ２から偏心されて、ナット１３ａと突出部１１ａの端面との間隔Ｈ１が前記Ｈ２よりも長くなっていることから、図２のように、突出部１１ａが下向きになるよう配置させると、直線部１１ｂが最下位に位置する場合よりも、より背もたれ１１の受面を下方へ配置することができ、逆に、図６のように、突出部１１ａが上向きになるよう位置させると、直線部１１ｂが最上位に位置する場合よりも、より背もたれ１１の受面を上方へ配置することができる。
【００３０】
次に、椅子１の使用状態について説明する。
例えば、使用者が子供であって、その身長が小さいときには、図１〜図４に示すように、座部７を座部取付穴６，６における下方の取付穴を使用して低い位置に取付け、背もたれ１１を調節穴１２，１２の下方位置において取付ける。
【００３１】
このとき、座部７を下方へ下げるほど、座部７が後方へ位置し、座面の奥行きが浅くなる。また、背もたれ１１を下方へ移動させるほど、背もたれ１１が前方へ位置し、座面の奥行きが浅くなる。
【００３２】
そして、身長が大きくなるほど、図６，７に示すように、座部７を上方の座部取付穴６，６を使用して上方位置に取付け、背もたれ１１を、調節穴１２，１２の上方位置において取付ける。
【００３３】
このとき、座部７を上方へ上げるほど、座部７が前方へ位置し、座面の奥行きが深くなる。更に、背もたれ１１を上方へ移動させるほど、背もたれ１１が後方へ位置し、座面の奥行きが深くなる。
【００３４】
したがって、座部７の取付位置と背もたれ１１の取付位置を適宜選択して組合わせることにより、身長の変化に合った形態の椅子に変化させることができる。
【００３５】
更に、本発明のおいては、背もたれ１１における取付部を前記のように偏心させたことにより、次のような効果がある。
【００３６】
前記のような身長が小さい子供の使用において、突出部１１ａを下側にして取付けると、突出部１１ａが下方、かつ、前方に延びるため、座面と背もたれの間隔を少なくして、更に、座面の奥行きを浅くでき、身長の小さい子供でも、背中から腰にかけて無理なく支持することができる。また、身長が大きい場合の使用においては、突出部１１ａを上側にして取付けると、突出部１１ａが上方、かつ、後方に延びるため、背もたれの高さを充分な高さまでとり、座面の奥行きをより深く確保できる。更に、直線部１１ｂが下方に位置して、座面と直線部１１ｂとの間隔が上方と後方に広くなるので、深く腰を位置させることができる。よって身長が大きい人でも、充分にもたれることができる。
【００３７】
したがって、背もたれ支持部２ｃ及び背もたれ１１を長く（大きく）することなく、背もたれ１１の調節範囲を広げることができる。これにより、椅子自体が大きくなったり、重くなったり、バランスが悪くなることを抑制でき、子供が扱いやすくなる。
【００３８】
なお、前記座部７と背もたれ１１の位置及び突出部１１ａの向きは、使用者の成長過程において、デスクに対して適切な座り姿勢、座り位置をとるように組み替えて使用すればよい。すなわち、前記の組合わせに限らず、背もたれ１１を高く、かつ、座部７を低くしたり、背もたれ１１を低く、かつ、座部７を高くしたり、座部７と背もたれ１１を前記の中間に配置したりするなどして、使用者の身長に合わせて、高さを調節し、更に、突出部１１ａの方向を決めて使用してもよい。
【００３９】
以上のことから、背もたれ１１は、サポート範囲を広くすることができ、更には、上下を逆にして使用することにより調整を細かくすることができる。また、先が円弧状に膨らんだ形状であることからサポートを効果的にしている。
【００４０】
なお、突出部１１ａは、前記のように円弧状に膨らんだ形状に限らず、水平方向の直線面やその他の形状で形成してもよい。
【００４１】
なお、前記実施例では、一本の支持枠２を屈曲して、背もたれ支持部２ｃを脚部２ｂと一体に形成したが、背もたれ支持部２ｃを脚部２ｂとは別に独立的に設けてもよく、また、背もたれ支持部２ｃを後方へ傾斜しない形状のものにしてもよい。
【産業上の利用可能性】
【００４２】
本発明は、通常の椅子に適用できるが、特に学習机用の木製の椅子に適用するとよい。
【図面の簡単な説明】
【００４３】
【図１】本発明の実施例を示す椅子の斜視図。
【図２】本発明の実施例における背もたれと座部を下方に位置させた正面図。
【図３】図２の背面図。
【図４】図２の側面図。
【図５】本発明の実施例における背もたれの斜視図。
【図６】本発明の実施例における背もたれと座部を上方に位置させた正面図。
【図７】図６の側面図。
【図８】背もたれと座部を、図２と図６の中間に位置させた正面図。
【図９】図８の側面図。
【符号の説明】
【００４４】
１      椅子
２ｃ    背もたれ支持部
１１    背もたれ
１１ａ  突出した端面である突出部
１３ａ，１３ｂ    取付部を構成するナット
Ｘ１    背もたれの左右方向の中央部
Ｘ２    背もたれの上下方向の中心
Ｘ３    取付部の中心
【図１】
2007075533.tif 000003
【図２】
2007075533.tif 000004
【図３】
2007075533.tif 000005
【図４】
2007075533.tif 000006
【図５】
2007075533.tif 000007
【図６】
2007075533.tif 000008
【図７】
2007075533.tif 000009
【図８】
2007075533.tif 000010
【図９】
2007075533.tif 000011